(57)【要約】 【課題】   素肌で行う腹囲測定において、防傷や衛生面に考慮した人体測定ユニットを提供する。【解決手段】  防傷処理が施された（２）のサポートアームと（９）の測定アーム、および（５）の抗菌処理されたカラー群と被測定者の背面との接触面に、消毒、抗菌対策をした（１３）の汗受けプレートを、左右のアームの両端が連結可能なフック機能を有した（１）の人体測定ユニットに備える。【選択図】図１
0003137719.tif 000002
【実用新案登録請求の範囲】
【請求項１】
左右に水平方向には回動可能であるが、垂直方向には変位不能な抗菌及び、皮
膚の防傷加工されたアームと、
そのアームに、抗菌加工及び、吸湿機能を有したカラー群とカラー固定ピン群
とが配され、そのアームの該長手方向に変位可能な被測定者の人体各部の周囲
長を計測するためのメジャーと、
そのアームが格納され、また被測定者の背面とが接する部位である背面受けユ
ニットと、
左右のアームの両端が連結可能なフック機能を有した人体測定ユニット。
【請求項２】
前記背面受けユニットが、計測時に人体と接する汗受けプレートであることを
特徴とする、請求項１記載の人体測定ユニット。
【請求項３】
前記背面受けユニットが、被測定者の体形に応じ前後に移動可能な背面受け
ユニットであることを特徴とする請求項１記載の人体測定ユニット。
【請求項４】
前記アームの該長手方向に変位可能な、被測定者の人体各部の周囲長を計測す
るためのメジャーを拭き取る汗拭きパットを特徴とする、請求項１記載の人体
測定ユニット。
【考案の詳細な説明】
【技術分野】
【０００１】
本考案は、思春期の女子の胸部等周囲長または、内臓脂肪測定の基本データとして用いる、人体の腹囲寸法を測定する人体周囲測定装置に用いられる人体測定ユニットの機構部に関する。
【背景技術】
【０００２】
人体各部の周囲長は2008年4月1日より施行される特定健診での内蔵脂肪組織の推定あるいは、思春期の女子の胸部等周囲長または、衣類作製等のための基礎データ等として広く活用されている。
【０００３】
例えば、体脂肪組織情報は、糖尿病や高血圧及び高脂血症などの生活習慣病のスクリーニングとしての有用性が特に問われており、内臓脂肪組織付近に付着、蓄積した内臓脂肪組織に関して、その計測の重要性が日に日に高まってきている。
【０００４】
例えば、特許文献１には、図４を用いて胸囲長の測定方法の例が開示されている。
【特許文献１】特開７−２３６６２２公報
【考案の開示】
【考案が解決しようとする課題】
【０００５】
しかし、計測は、図４（20）一方の計測用テープ、（21）他方の計測用テープと（22）背面当接板及び、（23）凸接子を、被測定者の計測部位の素肌に直接接触させて行われるため、被測定者においては、汗かきの人、皮膚の炎症、皮膚傷害の恐れのある方々の測定も予測される。このような状態を持った被測定者の後の受診者は、衛生的な不快感あるいは、感染の恐れを危惧することが問題とされている。 
【０００６】
計測時に、ウエスト長と背中の周囲長が著しく乖離する被測定者に対して、図１（７）の背面受けユニットが固定されていると背中が図１（1）の測定ユニット部に触れ図１（２）と（９）が確実に被測定者の測定部位に接しないことが問題となる。
【０００７】
計測時には、計測を行うための図１(11)メジャーが引き出され、図１（10）の連結具を図１（4）の測定アーム部フック受けにフックさせるが、汗かきの被測定者の場合は、メジャーが汗の抵抗でスムースに移動せず計測にデータに影響を及ぼすことが問題となる。
【０００８】
本考案は、このような課題を解決するためになされたものであり、図１（2）のサポートアームと図１（9）測定アームは、防傷処理が施され、さらに、図１（５）の抗菌処理されたカラー群と被測定者の背面との接触面に、拭き取りもしくは、消毒、さらには抗菌対策を講じ、さらに、図１（13）の汗受けプレートを提供することを目的とする。
【０００９】
本考案は、このような課題を解決するためになされたものであり図１（７）の背中受けユニットを被検者のウエストと背中の周囲長に対して最適な位置に前後可変可能な背中受けユニットを提供することを目的とする。
【００１０】
本考案は、このような課題を解決するためになされたものであり、図１（11）のメャーと被測定者の素肌との接触面に、拭き取り、消毒、対策を講じた、汗拭きパットを提供することを目的とする。
【課題を解決するための手段】
【００１１】
本考案は、上述の目的を達成するために、以下の（1）〜（４）の構成を備えるものである。
（１）左右に水平方向には回動可能であるが、垂直方向には変位不能な抗菌及び、皮膚の防傷加工されたアームと、そのアームに、抗菌加工されたカラ群ーとカラー固定ピン群とが配され、そのアームの該長手方向に変位可能な被測定者の人体各部の周囲長を計測するためのメジャーと、左右のアームの両端が連結可能なフック機能を有した人体測定ユニット。
（２）前記背面受けユニットが、計測時に人体と接する汗受けプレートであることを特徴とする、請求項１記載の人体測定ユニット。
（３）前記背面受けユニットが、被測定者の体形に応じ前後に移動可能な背面受けユニットであることを特徴とする請求項１記載の人体測定ユニット。
（４）前記アームの該長手方向に変位可能な、被測定者の人体各部の周囲長を計測するためのメジャーを拭き取ることが可能な汗拭きパットを特徴とする、請求項１記載の人体測定ユニット。
【考案を実施するための最良の形態】
【００１２】
以下に、本考案を実施するための最良の形態を記載する。
【実施例１】
【００１３】
計測時には、被測定者は背面を図１の（７）背中受けユニットに接触させ計測するため、この部位に本考案である図１（13）汗受けプレートを図１（６）のマジックテープ（登録商標）A,図１（12）マジックテープ（登録商標）Bで取り付け、測定者が衛生的な不快感あるいは、感染の恐れが危惧されると判断した被測定者の、次の被測定者の計測前、図１（13）汗受けプレートを消毒効果のある布や紙等で拭き取ることで、その危惧を防止できる。さらには、その危惧が大きいと測定者が判断した場合は、交換ができ、消毒液に浸し、再利用を可能とする。
【００１４】
計測時、図１（７）の背中受けユニットを被検者のウエストと背中の周囲長に対して、最適な位置に可変できるよう背中受けユニットの取り付けビス穴を長穴とし、前後位置を調整可能とする。
【００１５】
計測時には、汗かきの被測定者の場合は、メジャーが汗の抵抗でスムースに移動せずデータに影響を及ぼすことを防止するため、図２（14）の汗取りパットにメジャーを通し、メジャーの汗を拭き取ることで、測定誤差をなくすことが可能となる。
【００１６】
計測時、図２（14）の汗取りパットは、筒状で使用されるが、使用後は平面状に戻せ、汗取用布、又は紙等を簡単に交換できることにより、汗取りパットの再使用及び、拭き取り効果を持続できる。
【図面の簡単な説明】
【００１７】
【図１】人体測定ユニットの構成を示した図である。
【図２】人体測定ユニットの構成を詳細に示した図である。
【図３】人体測定ユニットに請求項１の汗受けプレートを取り付けたである。
【図４】引用
【特許文献１】特開７−２３６６２２公報の図を示したものである。
【符号の説明】
【００１８】
１  測定ユニット
２  サポートアーム
３  カラー固定ピン
４  測定アームフック部受け
５  抗菌カラー群
６  マジックテープ（登録商標）A
７  背面受けユニット
８  背面受けユニット固定ビス
９  測定アーム
１０  測定アーム部フック
１１  メジャー
１２  マジックテープ（登録商標）B
１３  汗受けプレート
１４  汗拭きパット
１５  汗拭き用布又は紙
１６  汗拭きパット用ボタン
１７  測定アームフック部カバー
２０  一方の計測用テープ
２１  他方の計測用テープ
２２  背面当接板
２３  凸接子
２４  連結具A
２５  連結具B
【図１】
0003137719.tif 000003
【図２】
0003137719.tif 000004
【図３】
0003137719.tif 000005
【図４】
0003137719.tif 000006